(57)【要約】      （修正有）【課題】洗濯物を干す際に用いる、ピンチを使わない物干し具を３案提供する。【解決手段】第一案は、洗濯物を通すことが出来る広い空間部分１−２ｃと洗濯物が飛ばないように洗濯物の任意の部分を挟み付けることが出来る狭い空間部分からなる幾何学模様の平面部分を線状部材１−２ｂで形成し、前記平面部分の四方を平面部分より剛性のある枠体１−２ａで補強したことを特徴とする。第二案は、下部に配置されて動かない土台部分とその土台の上に載って動く可動部分から構成されたことを特徴とする。第三案は、線状部材で形成された洗濯物を通すことが出来る広い空間がある平面部分と、前記平面部分と交互に配置された平面から上に飛び出た突起部分で洗濯物を通せる広い空間部分と洗濯物の任意の部分を挟み付けることが出来る狭い空間部分を有することを特徴とする。【選択図】図１−１
2020182819.tif 000002
【特許請求の範囲】
【請求項１】
洗濯物を干すのにピンチを使わない物干し具であり、
洗濯物を通すことが出来る広い空間部分と洗濯物が飛ばないように洗濯物の任意の部分を挟み付けることが出来る狭い空間部分からなる幾何学模様の平面部分を線状部材で形成し、
前記平面部分の四方を平面部分より剛性のある枠体で補強したことを特徴とする、
ピンチを使わない物干し具。
【請求項２】
洗濯物を干すのにピンチを使わない物干し具であり、
下部に配置されて動かない土台部分とその土台の上に載って動く可動部分から構成され、
前記可動部分と前記土台部分は両方とも可動方向に直角方向かつ同じピッチの線状部材で格子状に区切られた長方形の平面部分を形成し、
前記土台部分は前記可動部分よりも少なくても両端とも１ピッチ分以上大きくなっており、
前記土台部分と前記可動部分の四方をそれぞれ前記平面部分の線状部材より剛性のある枠体で補強され、
上部に載る前記可動部分の長辺方向の両サイドから前記格子状線状部材と同じ方向に出ている線状部材のフック状部材及びそのフック状部材と直角方向に前記可動部分の長辺と同じ長さの直線線状部材がフック状部材の先端と中間に配置されることよって、フック状部材を補強して、前記土台部分を挟み付けて前記可動部分が前記土台部分から外れない様になり、
前記土台部分の短辺外枠両端部には前記補強されたフック状部材が前記短辺より短く、外枠を軸として回転して、前記可動部の格子状線状部材に引っ掛けて可動部が動かないようにフックが付いていることを特徴とする、
ピンチを使わない物干し具。
【請求項３】
洗濯物を干すのにピンチを使わない物干し具であり、
線状部材で形成された洗濯物を通すことが出来る広い空間がある平面部分と、
前記平面部分と交互に配置された平面から上に飛び出た突起部分で洗濯物を通せる広い空間部分と洗濯物の任意の部分を挟み付けることが出来る狭い空間部分を有し、
前記突起部分は自立するために線状部材を一対でΛ形にして剛性をあげる方法や、線状部材自体の材質変更やサイズアップで強度をあげる方法で、前記突起部分が連続し、
前記平面部分の外側の四方を前記平面部分より剛性のある枠体で補強したことを特徴とする、  ピンチを使わない物干し具。
【発明の詳細な説明】
【技術分野】
【０００１】本発明はピンチを使わない物干し具に関するものである。
【背景技術】
【０００２】一般に、物干し具は枠体に複数個のピンチで洗濯物を挟んで干していた。
【先行技術文献】
【特許文献】
【０００３】
【特許文献１】特開２００４−３５８１０８
【特許文献２】特開２００９−１９４４８
【発明の概要】
【発明が解決しようとする課題】
【０００４】従来は次のような欠点があった。
洗濯物を物干し具に干したり、取り込んだりする場合に洗濯物をピンチに挟んだり取り外したりする手間が面倒だったり、洗濯物を薄板で押さえる方法では洗濯物の厚さに対応出来る範囲が小さく無理が生じ、また多くを干すのは難しいと思われ、ピンチを使わない物干し具を提供して洗濯物を干したり、取り込んだりする手間を簡単にして家事の作業効率の向上を目的とする。
【課題を解決するための手段】
【０００５】上記目的を達成する為に、本発明はピンチを使わない物干し具を３案提供する。【０００６】第一案は、洗濯物を上または下から通すことが出来る広い空間部分と洗濯物が飛ばないように洗濯物の任意の部分を挟み付けることが出来る狭い空間部分からなる三角形、四角形、六角形などの多角形や円、楕円、直線、曲線などの単純な図形を部品として、それに平行移動、反転、回転、色の変化、拡大・縮小、分割などの操作を加えながら連続して配列を展開してつくった単一又は数種類の幾何学模様の平面部分を線状部材で形成し、前記平面部分の四方を平面部分より剛性のある枠体で補強したことを特徴とする、ピンチを使わない物干し具で、洗濯物の干し方は、ネット部分の枠体を水平に吊るすための少なくとも４本のワイヤとそのワイヤの上部に設けられたフック部材を使って物干竿に吊り下げる干し方や、スタンド台を使ってその上にネット部分の枠体を設置して干す方法がある。【０００７】第二案は、下部に配置されて動かない土台部分とその土台の上に載って動く可動部分から構成され、前記可動部分と前記土台部分は両方とも可動方向に直角方向かつ同じピッチの線状部材で格子状に区切られた長方形の平面部分を形成し、前記土台部分は前記可動部分よりも少なくても両端とも１ピッチ分以上大きくなっており、前記土台部分と前記可動部分の四方をそれぞれ前記平面部分の線状部材より剛性のある枠体で補強され、上部に載る前記可動部分の長辺方向の両サイドから前記格子状線状部材と同じ方向に出ている線状部材のフック状部材及びそのフック状部材と直角方向に前記可動部分の長辺と同じ長さの直線線状部材がフック状部材の先端と中間に配置されることよって、フック状部材を補強して、前記土台部分を挟み付けて前記可動部分が前記土台部分から外れない様になり、前記土台部分の短辺外枠両端部には前記補強されたフック状部材が前記短辺より短く、外枠を軸として回転して、前記可動部の格子状線状部材に引っ掛けて可動部が動かないようにフックが付いていることを特徴する、ピンチを使わない物干し具で洗濯物の干し方は、ネット部分の枠体を水平に吊るすための少なくとも４本のワイヤとそのワイヤの上部に設けられたフック部材を使って物干竿に吊り下げる干し方や、スタンド台を使ってその上にネット部分の枠体を設置して干す方法がある。【０００８】第三案は、線状部材で形成された洗濯物を上または下から通すことが出来る広い空間がある平面部分と、前記平面部分と交互に配置された平面から上に飛び出た突起部分で洗濯物を通せる広い空間部分と洗濯物の任意の部分を挟み付けることが出来る狭い空間部分を有し、前記突起部分は自立するために線状部材を一対でΛ形にして剛性をあげたり、線状部材自体の材質やサイズアップして強度をあげ、前記突起部分が連続し、前記平面部分の外側の四方を前記平面部分より剛性のある枠体で補強したことを特徴とする、ピンチを使わない物干し具、洗濯物の干し方は、ネット部分の枠体を水平に吊るすための少なくとも４本のワイヤとそのワイヤの上部に設けられたフック部材を使って物干竿に吊り下げる干し方や、スタンド台を使ってその上にネット部分の枠体を設置して干す方法がある。
【発明の効果】
【０００９】以上の説明から明らかなように、本発明では次に列挙する効果が得られる。
（１）提案した三種類ともピンチで洗濯物を挟む必要が無くなるので、洗濯物を干す、取り込む作業時間が短縮される。
（２）洗濯物を多く干す事が出来る。
（３）下部の土台となるパーツ部分とその土台の上で可動するパーツ部分から構成されたピンチを使わない物干し具は、洗濯物を折り返して止める方法なので厚い洗濯物でも薄い洗濯物でも対応できる。
【図面の簡単な説明】
【００１０】
【図１−１】は幾何学模様の平面を線状部材で形成し、その四方を剛性のある枠体で補強したピンチを使わない物干し具の平面
【図１−２】は［図１−１］の断面詳細図と洗濯物を干した時のイメージ図
【図１−３】は［図１−１］のＡ部分の平面詳細図
【図２−１】は下部の土台部分とその土台の上で可動部分から構成されたピンチを使わない物干し具の実態形態を示す斜視図
【図２−２】は［図２−１］の実態形態を示す上部に載る可動部分が下部で動かない土台部分が重なるイメージ図
【図２−３】は［図２−１］の上記可動部分と上記土台部分が重なった実態形態を示す平面図
【図２−４】は［図２−１］の実態形態を示す上部に載る可動部分の平面図
【図２−５】は［図２−１］の実態形態を示す下部で動かない土台部分の平面図
【図２−６】は［図２−３］で表されているイーイ断面図
【図２−７】は［図２−３］で表されているローロ断面図
【図２−８】は［図２−１］の実態を示し、洗濯物を干してその洗濯物を挟み付けて、さらに端部で上部可動部分が移動しないように土台部分のフックで固定する仕組みのイメージ図
【図３−１】は洗濯物を上または下から通すことが出来る広い空間部分がある平面部分とその広い空間部分と交互に配置された平面から上に飛び出た突起部部で洗濯物を差し込める部分と洗濯物を挟み付ける狭い空間部分を有する線状部材が一対でΛ形に寄り添って強度をあげて自立するパーツが連続するピンチを使わない物干し具の平面図
【図３−２】は［図３−１］のハーハから見た立面図
【図３−３】は［図３−１］のニーニから見た立面図
【図３−４】は［図３−１］の［図３−１］のＢ部分の平面詳細図
【図３−５】は［図３−２］の突起部分が自立するために線状部材を一対でΛ形になっている断面詳細図
【図３−６】は［図３−１］の斜視図と洗濯物を干した時のイメージ図
【図３−７】は［図３−１］の突起部分を自立するために線状部材自体の材質やサイズアップして強度をあげた突起部分の形状
【図４−１】はピンチを使わない物干し具を線状部材でなく合成樹脂で形成した場合の部分平面のイメージ図
【図４−２】は［図４―１］の断面図と洗濯物を干した時のイメージ図
【図５−１】は［図１―１］の物干し具を水平に吊るすための少なくとも４本以上  のワイヤ部材で吊り、ワイヤ部材の上部を介して設けられたフック部材で物  干し竿に吊った場合のイメージ図
【図５−２】は［図１―１］の物干し具をスタンド台に取付けた場合のイメージ図
【図６−１】は［図１―１］の物干し具を水平に吊るすための少なくとも４本以上のワイヤ部材で吊り、ワイヤ部材の上部を介して設けられたフック部材で物干し竿に吊った場合のイメージ図
【図６−２】は［図１―１］の物干し具をスタンド台に取付けた場合のイメージ図
【図７−１】は［図１―１］の物干し具を水平に吊るすための少なくとも４本以上のワイヤ部材で吊り、ワイヤ部材の上部を介して設けられたフック部材で物干し竿に吊った場合のイメージ図
【図７−２】は［図１―１］の物干し具をスタンド台に取付けた場合のイメージ図
【発明を実施するための形態】
【００１１】以下、本発明の実施の形態を図に基づいて説明する。
【実施例１】
【００１２】［実施例１］は上記［０００６］第一案の幾何学模様の平面を線状部材で形成し、その四方を剛性のある枠体で補強したピンチを使わない物干し具に関して記述する。【００１３】［図１−１］は線状部材を使った幾何学模様で、平面を線状部材で形成し、そのネット部分の四方をネット部分より剛性ある枠体で補強し、［図１−３］の符号１−２ｃのような広い空間部分と符号１−２ｄのような狭い部分を利用し、［図１−３］で任意の前期広い空間部分から洗濯物の先を通してから、洗濯物を１８０度折返して隣り合う空間部分に入れてから前記狭い部分に洗濯物を差し込んで洗濯物が落ちないようにする。【００１４】なお、上記実施形態において、線状部材で三角形、四角形、六角形などの多角形や円、楕円、直線、曲線などの単純な図形を部品として、それに平行移動、反転、回転、色の変化、拡大・縮小、分割などの操作を加えながら連続して組み合わせ配列を展開してつくった多くの幾何学模様の広い空間部分から洗濯物の先を通してから、洗濯物を１８０度折返して隣りの空間部分に入れて狭い空間部分に洗濯物を差し込んで洗濯物が落ちないようにすることによってピンチを使わない物干し具として使用できる。
【実施例２】
【００１５】［実施例２］は上記［０００７］第二案の下部の土台部分とその土台の上に載って動く可動部分から構成されたピンチを使わない物干し具に関して記述する。【００１６】［図２−３］は下部に配置されて動かない土台部分とその土台の上に載って動く可動部分から構成され、［図２−４］・［図２−５］のように前記可動部分と前記土台部分は両方とも可動方向に直角方向かつ同じピッチの線状部材で格子状に区切られた長方形の平面部分を形成し、前記土台部分は前記可動部分よりも少なくても両端とも１ピッチ分以上大きくなっており、前記土台部分と前記可動部分の四方をそれぞれ前記平面部分の線状部材より剛性のある枠体で補強され、上部に載る前記可動部分の長辺方向の両サイドから前記格子状線状部材と同じ方向に出ている線状部材のフック状部材及びそのフック状部材と直角方向に前記可動部分の長辺と同じ長さの直線線状部材がフック状部材の先端と中間に配置されることよって、フック状部材を補強して、前記土台部分を挟み付けて前記可動部分が前記土台部分から外れない様になり、前記土台部分の短辺外枠両端部には前記補強されたフック状部材が前記短辺より短く、外枠を軸として回転して、前記可動部の格子状線状部材に引っ掛けて可動部が動かないようにフックが付いていることを特徴するピンチを使わない物干し具。【００１７】また、洗濯物の干し方は［図２−８］の上図のように前記上部可動部分と前記下部固定部分の線状部材を上下同じ位置（符号２−２ｅＩと２−３ｅの位置）にして洗濯物を上下同じ位置の線状部材をまたいで洗濯物を干してから、下図のように上の可動部分を→方向に移動させた位置（符号２−２ｅＩＩと２−３ｅの位置）になることで、前記移動部分のみが移動し前記土台部分は元の位置を移動しないことにより、上下の線状部材で洗濯物が挟み付けられて落ちないようになり、土台部分の両端についているフックの片方を移動部分が動かないようにして洗濯物を干す。
【実施例３】
【００１８】［実施例３］は上記［０００８］第三案の線状部材で形成された洗濯物を上または下から通すことが出来る広い空間がある平面部分と、前記平面部分と交互に配置された平面から上に飛び出た突起部分で洗濯物を通せる広い空間部分と洗濯物の任意の部分を挟み付けることが出来る狭い空間部分を有し、前記突起部分は自立するために線状部材を一対でΛ形にして剛性をあげる方法や、線状部材自体の材質変更やサイズアップで強度をあげる方法で、前記突起部分が連続し、前記平面部分の外側の四方を前記平面部分より剛性のある枠体で補強したことを特徴とする、ピンチを使わない物干し具に関して記述する。【００１９】［図３−１］・［図３−６］は符号３−３ｃのような線状部材で形成された洗濯物を上または下から通すことが出来る広い空間がある平面部分と、前記平面部分と交互に配置された平面から上に飛び出た突起部分で洗濯物を通せる広い空間部分と洗濯物の任意の部分を挟み付けることが出来る狭い空間部分を有し、前記突起部分は自立するために線状部材を一対でΛ形にして剛性をあげる方法で前記突起部分が連続し、前記平面部分の外側の四方を前記平面部分より剛性のある枠体で補強したことを特徴とする、ピンチを使わない物干し具。【００２０】［図３−７］は前記［００１８］で前記突起部分を線状部材自体の材質変更やサイズアップで強度をあげる方法で自立した突起部分を特徴とする、ピンチを使わない物干し具。【００２１】［図３−６］・［図３−７］の符号３−３ａのような広い空間部分と符号３−３ｂのような狭い部分を利用し、洗濯物を符号３−３ａのような広い空間部分から通して、さらに洗濯物を符号３−３ｂのような狭い部分に差し込んで洗濯物が落ちないようにする。【００２２】平面から上に飛び出た線状部材に、直接洗濯物が干せるので、洗濯物を干す作業が簡単である。
【実施例４】
【００２３】［実施例４］は、上記［０００５］の本発明で提供する３案のピンチを使わない物干し具に共通する事項に関して記述する。【００２４】ピンチを使わない物干し具を従来からある製品と組み合わせて設置する方法其の１として、ピンチを使わない物干し具を吊るすために少なくとも４本以上のワイヤ部材で吊り、ワイヤ部材の上部を介して設けられたフック部材で物干し具に吊り下げる。【００２５】ピンチを使わない物干し具を従来からある製品と組み合わせて設置する方法其の２として、ピンチを使わない物干し具をスタンド台に取付ける。【００２６】物干し平面を形成する線状部材の物干し平面枠体の高さは吊り部材の長さ、又はスタンド台で調整して洗濯物が干しやすい高さとする。【００２７】ピンチを使わない物干し具は幾何学模様の平面部材をコ字状、Ｈ字状又はＩ字状に一体形成されている合成樹脂を使用して作り、その四方をさらに剛性を高める枠体を合成樹脂で補強することによりピンチを使わない物干し具を作ることが出来る。【００２８】物干し平面を形成する線状部材の部材規格寸法は、物干し平面部材が洗濯物の重量に耐えうる部材規格寸法とする。
【符号の説明】
【００２９】１      幾何学模様の平面を線状部材で形成し、その四方を剛性のある枠体で補強したピンチを使わない物干し具
（注；以下“１−＊＊”の符号は符号１に関する枝番）
１−２ａ  平面部分より剛性ある枠体で補強された外枠部材
１−２ｂ  内部の幾何学模様を形成する平面部分の線状部材
１−２ｃ  内部の幾何学模様を形成する平面部分で洗濯物を上または下から通す広い空間部分（２点鎖線の斜線部分）
１−２ｄ  内部の幾何学模様を形成する平面部分で洗濯物が飛ばないように洗濯物の任意の部分を挟み付ける狭い空間部分（実線クロスハッチング部分）
２      下部に配置されて動かない土台部分とその土台の上に載って動く可動部分から構成されたピンチを使わない物干し具
（注；以下“２−＊＊”の符号は符号２に関する枝番）
２−２ａ  上部に載る可動部分の外枠補強線状部材
２−２ｂ  上部に載る可動部分の内部線状部材
２−２ｃ  可動部分の長辺方向の両サイドから格子状線状部材と同じ方向に出ている線状部材のフック状部材で土台部分を挟み付けて可動部分が土台部分から外れない様にする振れ止めフック
２−２ｄ  符号２−２ｃの振れ止めフックを補強するために、フック状部材と直角方向に可動部分の長辺と同じ長さの直線線状部材がフック状部材の先端と中間に配置する振れ止めフックの補強線状部材
２−３ａ  土台部分の外枠補強線状部材
２−３ｂ  土台部分の内部線状部材
２−３ｃ  可動部分が長辺方向に動かないようにするフック（補強線状部材共）
２−３ｄ  符号２−３ｃのフックを補強するために、フック状部材と直角方向に土台部分の短辺より短い長さの直線線状部材がフック状部材の先端と中間に配置するフックの補強線状部材
２−２ｅＩ  可動部分の内部線状部材符号２−２ｂに洗濯物符号６を干した時の符号２−２ｂの最初の位置
２−２ｅＩＩ  符号２−２ｅＩでの位置から上部可動部を横に移動した時の符号２−２ｂと洗濯物符号６の移動後の位置（最初の位置からずれている）
２−３ｅ  土台部分の内部線状部材符号２−３ｂに洗濯物符号６を干した時の符号２−２ｂの位置（移動前後共同じ位置）
３      線状部材で形成された洗濯物を通すことが出来る広い空間がある平面部分と、平面部分と交互に配置された平面から上に飛び出た突起部分で洗濯物を通せる広い空間部分と洗濯物の任意の部分を挟み付けることが出来る狭い空間部分を有し、突起部分は自立するために線状部材を一対でΛ形にして剛性をあげる方法や、線状部材自体の材質変更やサイズアップで強度をあげる方法で、突起部分が連続するピンチを使わない物干し具
（注；以下“３−＊＊”の符号は符号３に関する枝番）
３−１ａ  外枠補強線状部材
３−１ｂ  内部線状部材
３−２ａ  線状部材を一対でΛ形にして剛性あげ自立する突起部分
３−２ｂ  線状部材自体の材質変更やサイズアップで剛性あげ自立する突起部分
３−３ａ  平面から上に飛び出た幾何学模様の突起部分で洗濯物を通す広い空間部分（２点鎖線の斜線部分）
３−３ｂ  平面から上に飛び出た幾何学模様の突起部分で洗濯物が飛ばないように洗濯物の任意の部分を挟み付ける狭い空間部分（実線クロスハッチング部分）
３−３ｃ  平面部分で洗濯物を上または下から通す広い空間部分
４−１    物干し具を吊るワイヤー部材
４−２    物干し竿を挟むフック部材
５      物干し竿（本発明対象外）
６      洗濯物（本発明対象外）
７      スタンド台（本発明対象外）
【図１−１】
2020182819.tif 000003
【図１−２】
2020182819.tif 000004
【図１−３】
2020182819.tif 000005
【図２−１】
2020182819.tif 000006
【図２−２】
2020182819.tif 000007
【図２−３】
2020182819.tif 000008
【図２−４】
2020182819.tif 000009
【図２−５】
2020182819.tif 000010
【図２−６】
2020182819.tif 000011
【図２−７】
2020182819.tif 000012
【図２−８】
2020182819.tif 000013
【図３−１】
2020182819.tif 000014
【図３−２】
2020182819.tif 000015
【図３−３】
2020182819.tif 000016
【図３−４】
2020182819.tif 000017
【図３−５】
2020182819.tif 000018
【図３−６】
2020182819.tif 000019
【図３−７】
2020182819.tif 000020
【図４−１】
2020182819.tif 000021
【図４−２】
2020182819.tif 000022
【図５−１】
2020182819.tif 000023
【図５−２】
2020182819.tif 000024
【図６−１】
2020182819.tif 000025
【図６−２】
2020182819.tif 000026
【図７−１】
2020182819.tif 000027
【図７−２】
2020182819.tif 000028